(57)【要約】【課題】外部から伝達された駆動電源によって照明用ＯＬＥＤタイルが動作することを特徴とする照明用ＯＬＥＤタイル装置を提供する。【解決手段】本発明は照明用ＯＬＥＤタイル装置において、照明用ＯＬＥＤタイルを支持するタイルカバーに磁石を備え、照明用ＯＬＥＤタイルの電極とタイルカバーの磁石とが接触されるようにすることで外部から伝達された駆動電源がタイルカバーの磁石によって照明用ＯＬＥＤタイルが動作する。本発明による照明用ＯＬＥＤタイル装置によれば、複数個のＯＬＥＤタイルが連結された照明装置でそれぞれのＯＬＥＤタイルを金属配線で連結することなく磁石を介して連結することによって、ＯＬＥＤタイルに要する配線を減少させ、異常のあるＯＬＥＤタイルを正常作動するＯＬＥＤタイルに容易に換えることができる効果がある。【選択図】図２
2013051417.tif 000002
【特許請求の範囲】
【請求項１】
照明用ＯＬＥＤタイル装置において、
照明用ＯＬＥＤタイルの正極層及び負極層と電気的に連結されて前記照明用ＯＬＥＤタイルに電流を流す電気伝導性の後面カバー磁石を備え、前記照明用ＯＬＥＤタイルの後面に結合される後面カバー及び
前記後面カバー及び前記照明用ＯＬＥＤタイルと一体に結合される前面カバーを備えることを特徴とする照明用ＯＬＥＤタイル装置。
【請求項２】
前記後面カバー磁石は、
前記正極層と接触される第１後面カバー磁石、
前記負極層と接触される第２後面カバー磁石及び
前記後面カバーの側面部に形成された第３後面カバー磁石を含んでなることを特徴とする請求項１に記載の照明用ＯＬＥＤタイル装置。
【請求項３】
前記前面カバー磁石は、
前記正極層を間に置いて前記第１後面カバー磁石と対応する位置に形成された第１前面カバー磁石及び
前記負極層を間に置いて前記第２後面カバー磁石と対応する位置に形成された第２前面カバー磁石を含んでなることを特徴とする請求項２に記載の照明用ＯＬＥＤタイル装置。
【請求項４】
前記前面カバー磁石と前記後面カバー磁石は極性が互いに反対であることを特徴とする請求項３に記載の照明用ＯＬＥＤタイル装置。
【請求項５】
請求項２乃至４のいずれか一項に記載の照明用ＯＬＥＤタイル装置が少なくても２つ以上互いに隣接して配置されたことを特徴とする照明用ＯＬＥＤタイル装置。
【請求項６】
互いに隣接して配置された少なくとも２つ以上の照明用ＯＬＥＤタイル装置のいずれか１つの照明用ＯＬＥＤタイル装置に外部の駆動部から電源が供給されることを特徴とする請求項５に記載の照明用ＯＬＥＤタイル装置。
【請求項７】
前記駆動部から照明用ＯＬＥＤタイル装置に供給された電源が前記第３後面カバー磁石を介して隣接する照明用ＯＬＥＤタイル装置に伝達されることを特徴とする請求項６に記載の照明用ＯＬＥＤタイル装置。
【発明の詳細な説明】
【技術分野】
【０００１】
本発明は照明用ＯＬＥＤタイル装置に関し、特に、照明用ＯＬＥＤタイルを支持するタイルカバーに電気伝導性磁石を備え、照明用ＯＬＥＤタイルの電極とタイルカバーの電気伝導性磁石とが接触されるようにすることで外部の駆動部から電気伝導性磁石に伝達された駆動電源によって照明用ＯＬＥＤタイルが動作するように考案された照明用ＯＬＥＤタイル装置に関する。
【背景技術】
【０００２】
一般に、有機発光ダイオード（Ｏｒｇａｎｉｃ  Ｌｉｇｈｔ  Ｅｍｉｔｔｉｎｇ  Ｄｉｏｄｅｓ：以下「ＯＬＥＤ」という）は基板上の正極層（ａｎｏｄｅ  ｌａｙｅｒ）と負極層（ｃａｔｈｏｄｅ  ｌａｙｅｒ）との間に有機電界薄膜層である有機発光層を積層させることによって、低電圧直流駆動による高輝度の発光が可能なように考案された発光素子である。
【０００３】
このようなＯＬＥＤは低い電圧で駆動が可能で、曲げることができ、薄型であるなどの長所がある。さらに、広い光視野角と迅速な応答速度を有しており、従来の液晶ディスプレイ（ＬＣＤ）が持つ問題点を解決することができ、製造工程が簡単である点から次世代平板ディスプレイ及び次世代光源として注目を浴びている。
【０００４】
図１は、従来の照明用ＯＬＥＤタイルを示す図である。
【０００５】
図１に示すように、従来の照明用ＯＬＥＤタイルは基板１１０、透明電極層１２０、正極層１３０、有機発光層１４０、負極層１５０及び封止装置１６０を備える。
【０００６】
上記の従来の照明用ＯＬＥＤタイルの各構成の機能及び動作は当業者に既に広く知られているものであるので、詳細な説明は省略するようにする。
【０００７】
前記照明用ＯＬＥＤタイルは前面及び後面がタイルカバーによって固定されタイルカバーには前記照明用ＯＬＥＤタイルを駆動するための駆動部が連結されて照明装置として使用される。
【先行技術文献】
【特許文献】
【０００８】
【特許文献１】特開２０１０−０１５１６３号公報
【発明の概要】
【発明が解決しようとする課題】
【０００９】
しかし、このような従来の照明用ＯＬＥＤタイルを用いた照明装置は複数個の照明用ＯＬＥＤタイルが連結された場合、それぞれの照明用ＯＬＥＤタイルを駆動させるためにはそれぞれの照明用ＯＬＥＤタイルに電源を供給するための電線が連結されなければならないので配線が複雑になる問題がある。
【００１０】
また、照明用ＯＬＥＤタイルが連結された照明装置で照明用ＯＬＥＤタイルに異常が生じてこれを換えようとする場合、異常のある照明用ＯＬＥＤタイルに連結された金属配線を除去し、正常作動する照明用ＯＬＥＤタイルに金属配線を再度連結しなければならないので照明装置の維持補修が困難な問題がある。
【００１１】
本発明が解決しようとする技術的課題は、照明用ＯＬＥＤタイルを支持するタイルカバーに電気伝導性磁石を備え、照明用ＯＬＥＤタイルの電極とタイルカバーの電気伝導性磁石とが接触されるようにすることで外部から伝達された駆動電源によって照明用ＯＬＥＤタイルが動作することを特徴とする照明用ＯＬＥＤタイル装置を提供することにある。
【課題を解決するための手段】
【００１２】
前記技術的課題を達成するための本発明の一実施形態による照明用ＯＬＥＤタイル装置は、照明用ＯＬＥＤタイルの正極層及び負極層と電気的に連結されて前記照明用ＯＬＥＤタイルに電流を流す電気伝導性の後面カバー磁石を備え、前記照明用ＯＬＥＤタイルの後面に結合される後面カバーと、前記後面カバー及び前記照明用ＯＬＥＤタイルと一体に結合される前面カバーと、を備えることを特徴とする。
【発明の効果】
【００１３】
本発明による照明用ＯＬＥＤタイル装置によれば、複数個のＯＬＥＤタイルが連結された照明装置でそれぞれのＯＬＥＤタイルを金属配線で連結することなく電気伝導性磁石を介して連結することによって、照明用ＯＬＥＤタイルに要する配線を減少させることができる効果がある。
【００１４】
また、１つのＯＬＥＤタイルに異常が生じた場合、異常が生じたＯＬＥＤタイルに連結された配線を除去する過程なく異常が生じたＯＬＥＤタイルのみを簡単に分離して交換可能なようにすることによって照明装置の維持補修が容易になる長所がある。
【図面の簡単な説明】
【００１５】
【図１】従来の照明用ＯＬＥＤタイルの構成を示す図である。
【図２】本発明の一実施形態による照明用ＯＬＥＤタイル装置の分解斜視図である。
【図３】本発明の一実施形態による照明用ＯＬＥＤタイル装置の結合斜視図である。
【図４】本発明の他の一実施形態による照明用ＯＬＥＤタイル装置の結合斜視図である。
【図５】本発明の他の一実施形態による照明用ＯＬＥＤタイル装置の結合斜視図である。
【発明を実施するための形態】
【００１６】
本発明と本発明の動作における利点及び本発明の実施によって達成される目的を十分に理解するためには、本発明の例示的な実施形態を説明する添付図面及び添付図面に記載された内容を参照すべきである。
【００１７】
以下、添付図面を参照して本発明の好ましい実施形態を説明することにより、本発明を詳細に説明する。
【００１８】
本発明の核心となるアイデアは、照明用ＯＬＥＤタイルを支持するタイルカバーに磁石を備え、照明用ＯＬＥＤタイルの電極とタイルカバーの磁石とが互いに接触されるようにすることで外部から伝達された駆動電源によって照明用ＯＬＥＤタイルが動作するようにすることである。
【００１９】
図２は、本発明による照明用ＯＬＥＤタイル装置の分解斜視図である。
【００２０】
図２を参照すると、本発明による照明用ＯＬＥＤタイル装置は照明用ＯＬＥＤタイル２１０、後面カバー２２０及び前面カバー２３０を備える。
【００２１】
照明用ＯＬＥＤタイル２１０は基板２１１上に透明電極層２１２、正極層２１３、負極層２１４、有機発光層２１５及び封止装置２１６が形成され、細部構成、その機能及び動作は図１で説明したものと同様であるので、詳細な説明は省略する。
【００２２】
後面カバー２２０は照明用ＯＬＥＤタイル２１０の正極層２１３と接触される第１後面カバー磁石２２１、照明用ＯＬＥＤタイル２１０の負極層２１４と接触される第２後面カバー磁石２２２及びその側面に形成された第３後面カバー磁石２２３を備える。
【００２３】
第１後面カバー磁石２２１及び第２後面カバー磁石２２２には電線が連結されており照明用ＯＬＥＤタイル２１０の正極層２１３及び負極層２１４に電流を流す。
【００２４】
すなわち、後面カバー２２０は外部に形成された駆動部（図示せず）から第１後面カバー磁石２２１及び第２後面カバー磁石２２２に伝達された電源を照明用ＯＬＥＤタイル２１０の正極層２１３及び負極層２１４に伝達する。
【００２５】
一方、前面カバー２３０は前記後面カバー２２０の第１後面カバー磁石２２１に対応する位置に第１前面カバー磁石２３１を備え、第２後面カバー磁石２２２に対応する位置に第２前面カバー磁石２３２を備える。
【００２６】
前記第１前面カバー磁石２３１及び第２前面カバー磁石２３２は前記第１後面カバー磁石２２１及び第２後面カバー磁石２２２と互いに異なる極性を有しているので、前記照明用ＯＬＥＤタイル２１０の正極層２１３及び負極層２１４と前記第１後面カバー磁石２２１及び第２後面カバー磁石２２２とが互いに良好に接触できるように助ける。
【００２７】
図２には複数個の第１後面カバー磁石２２１が互いに分離されて形成されたように示されているが、これは必要に応じて一体型として形成されることができることは無論である。
【００２８】
図３は、本発明の一実施形態による照明用ＯＬＥＤタイル装置の結合斜視図である。
【００２９】
図２及び図３を参照すると、本発明の一実施形態による照明用ＯＬＥＤタイル装置２００は外部に形成された駆動部（図示せず）から前記第１後面カバー磁石２２１及び第２後面カバー磁石２２２に電源が供給されると前記第１後面カバー磁石２２１及び第２後面カバー磁石２２２と接触されている前記照明用ＯＬＥＤタイル２１０の正極層２１３及び負極層２１４に電流が流れるようになり、これによって前記照明用ＯＬＥＤタイル２１０が発光する。
【００３０】
図４及び図５は、本発明の他の一実施形態による照明用ＯＬＥＤタイル装置の結合斜視図である。
【００３１】
図４及び図５を参照すると、図３に示した照明用ＯＬＥＤタイル装置２００が１つ以上連結されていることがわかる。
【００３２】
この時、それぞれの照明用ＯＬＥＤタイル装置２００ａ、２００ｂ、２００ｃ、２００ｄは側面に形成された第３後面カバー磁石２２３を介して互いに連結され、いずれか１つの照明用ＯＬＥＤタイル装置２００ａに電源が供給されると隣接した他の照明用ＯＬＥＤタイル装置２００ｂ、２００ｃ、２００ｄには電源が供給されなくても、すべての照明用ＯＬＥＤタイル装置２００ａ、２００ｂ、２００ｃ、２００ｄの電極に電流が流れるようになり、すべての照明用ＯＬＥＤタイル装置２００ａ、２００ｂ、２００ｃ、２００ｄが発光する。
【００３３】
したがって、すべての照明用ＯＬＥＤタイル装置２００ａ、２００ｂ、２００ｃ、２００ｄに電線を連結せずに済み、タイル装置に要する電線数を減少させることができる長所がある。
【００３４】
また、いずれか１つの照明用ＯＬＥＤタイル装置（例えば、２００ｂ）に異常が発生した場合、異常が発生した照明用ＯＬＥＤタイル装置２００ｂが隣接した照明用ＯＬＥＤタイル装置２００ａ、２００ｃ、２００ｄと電線によって連結されていないので異常が発生した照明用ＯＬＥＤタイル装置２００ｂのみを簡単に換えることができ、照明用ＯＬＥＤタイル装置の維持補修が容易になる長所がある。
【００３５】
以上では本発明に対する技術思想を添付図面と共に述べたが、これは本発明の好ましい実施形態を例示的に説明したものであって本発明を限定するものではない。また本発明の属する技術分野における通常の知識を有する者であれば、誰でも本発明の技術的思想の範疇を逸脱しない範囲内で様々な変形及び摸倣が可能であることは明白な事実である。
【産業上の利用可能性】
【００３６】
本発明による照明用ＯＬＥＤタイル装置によれば、複数個のＯＬＥＤタイルが連結された照明装置でそれぞれのＯＬＥＤタイルを金属配線で連結することなく電気伝導性磁石を介して連結することによって、照明用ＯＬＥＤタイルに要する配線を減少させることができる効果がある。
【００３７】
また、１つのＯＬＥＤタイルに異常が生じた場合、異常が生じたＯＬＥＤタイルに連結された配線を除去する過程なく異常が生じたＯＬＥＤタイルのみを簡単に分離して交換可能なようにすることによって照明装置の維持補修が容易になる長所がある。
【符号の説明】
【００３８】
２００…照明用ＯＬＥＤタイル装置、
２１０…照明用ＯＬＥＤタイル、
２２０…後面カバー、
２３０…前面カバー。
【図１】
2013051417.tif 000003
【図２】
2013051417.tif 000004
【図３】
2013051417.tif 000005
【図４】
2013051417.tif 000006
【図５】
2013051417.tif 000007